(57)【要約】  光学コヒーレンス断層撮影システム（１５０、１５０’）は、光源（１５２、１５２’）と、干渉系（１６０、１６０’）と、プロセッサ（１８２）と、メモリ（１８４）とを含む。干渉系（１６０）は、光源（１５２）に光学的に結合され、少なくとも１つの可動式走査ミラー（１７０、１７０’、１７０’’）を含む。プロセッサ（１８２）及びメモリ（１８４）は、干渉系（１６０、１６０’）に結合される。プロセッサ（１８２）は、メモリ（１８４）に記憶された命令を実行して、可動式走査ミラー（１７０、１７０’、１７０’’）に、少なくとも１つのパターン（２５０、２５０’、２５２、２５４）で試料における複数のポイントを走査させる。少なくとも１つのパターンは、少なくとも１つのリサージュ曲線（２５０、２５０’、２５２、２５４）及び少なくとも１つの呼吸運動曲線（２５６）の少なくとも一方に基づく。
2020506372.tif 000002
【特許請求の範囲】
【請求項１】
光学コヒーレンス断層撮影（ＯＣＴ）システムであって、
光源と、
前記光源に光学的に結合され、少なくとも１つの可動式走査ミラーを含む干渉系と、
前記干渉系に結合されたプロセッサ及びメモリであって、前記プロセッサは前記メモリに記憶された命令を実行して、前記少なくとも１つの可動式走査ミラーに、少なくとも１つのパターンに従って試料における複数のポイントを走査させ、前記少なくとも１つのパターンは、リサージュ曲線及び呼吸運動曲線の少なくとも一方に基づく、プロセッサ及びメモリと、
を備える、ＯＣＴシステム。
【請求項２】
前記少なくとも１つのパターンは少なくとも１つのリサージュ曲線であり、前記少なくとも１つのリサージュ曲線は、複数のｘ値及び複数のｙ値を有し、前記複数のｘ値はｓｉｎ（ｍｔ＋δ）の第１の複数の値に比例し、前記複数のｙ値は、ｓｉｎ（ｎｔ）の第２の複数の値に比例し、ここで、ｍ及びｎは定数パラメータであり、比率ｍ／ｎは１０以下であり、ｔは変数であり、δは非ゼロの定数である、請求項１に記載のＯＣＴシステム。
【請求項３】
ｍ／ｎによって定義される前記比率は２以下である、請求項２に記載のＯＣＴシステム。
【請求項４】
前記プロセッサは、メモリに記憶された命令を実行して、
前記少なくとも１つの可動式走査ミラーに、第１のリサージュ曲線に基づく第１のパターンに従って前記試料における前記複数のポイントの第１の部分を走査させ、
前記少なくとも１つの可動式走査ミラーに、第２のリサージュ曲線に基づく第２のパターンに従って前記試料における前記複数のポイントの第２の部分を走査させ、
前記第１のパターンと前記第２のパターンとが重複するロケーションにおいて、前記第１のパターンから前記第２のパターンに切り替える、請求項１に記載のＯＣＴシステム。
【請求項５】
前記プロセッサは、メモリに記憶された命令を実行して、
前記少なくとも１つの可動式走査ミラーに、リサージュ曲線に基づく第１のパターンに従って前記試料における前記複数のポイントの第１の部分を走査させ、
前記少なくとも１つの可動式走査ミラーに、呼吸運動曲線に基づく第２のパターンに従って前記試料における前記複数のポイントの第２の部分を走査させ、
前記第１のパターンと前記第２のパターンとが重複するロケーションにおいて、前記第１のパターンから前記第２のパターンに又は前記第２のパターンから前記第１のパターンに切り替える、請求項１に記載のＯＣＴシステム。
【請求項６】
前記プロセッサは、メモリに記憶された命令を実行して、
前記少なくとも１つの可動式走査ミラーに、第１の呼吸運動曲線に基づく第１のパターンに従って前記試料における前記複数のポイントの第１の部分を走査させ、
前記少なくとも１つの可動式走査ミラーに、第２の呼吸運動曲線に基づく第２のパターンに従って前記試料における前記複数のポイントの第２の部分を走査させ、
前記第１のパターンと前記第２のパターンとが重複するロケーションにおいて、前記第１のパターンから前記第２のパターンに又は前記第２のパターンから前記第１のパターンに切り替える、請求項１に記載のＯＣＴシステム。
【請求項７】
前記少なくとも１つのパターンは前記少なくとも１つの呼吸運動曲線であり、前記少なくとも１つの呼吸運動曲線は、複数のｘ値及び複数のｙ値を有し、前記複数のｘ値は（Ｒ＋ｒ）ｃｏｓ（ｔ）＋ｐ＊ｃｏｓ（（Ｒ＋ｒ）ｔ／ｒ）の第１の複数の値に比例し、前記複数のｙ値は、（Ｒ＋ｒ）ｓｉｎ（ｔ）＋ｐ＊ｓｉｎ（（Ｒ＋ｒ）ｔ／ｒ）の第２の複数の値に比例し、ここで、Ｒ、ｒ、及びｐは定数パラメータであり、ｔは変数である、請求項１に記載のＯＣＴシステム。
【請求項８】
前記少なくとも１つの走査ミラーは、第１のミラー、第２のミラー、及び第３のミラーを含み、前記第１のミラーは少なくとも、鋭角に向けられた第１の反射面を有し、ミラー対のうちの前記第２のミラーは、前記第３のミラーの第３の反射面に面し、前記第３の反射面に平行する第２の反射面を有する、請求項７に記載のＯＣＴシステム。
【請求項９】
前記プロセッサは、メモリに記憶された命令を実行して、１秒未満のリフレッシュ時間内に前記複数のポイントを複数回走査する、請求項１に記載のＯＣＴシステム。
【請求項１０】
前記リフレッシュ時間は、５００ミリ秒以下であり、前記複数回は少なくとも１０回である、請求項９に記載のＯＣＴシステム。
【請求項１１】
光学コヒーレンス断層撮影（ＯＣＴ）システムであって、
光源と、
前記光源に光学的に結合され、少なくとも１つの可動式走査ミラーを含む干渉系と、
前記干渉系に結合されたプロセッサ及びメモリであって、前記プロセッサは前記メモリに記憶された命令を実行して、前記少なくとも１つの可動式走査ミラーに、少なくとも１つのパターンで試料における複数のポイントを走査させ、前記少なくとも１つのパターンは、少なくとも１つのリサージュ曲線及び少なくとも１つの呼吸運動曲線から選択され、前記プロセッサは命令を実行して、１００ミリ秒以下のリフレッシュ時間で前記複数のポイントを走査させる、プロセッサ及びメモリと、
を備え、
前記少なくとも１つのリサージュ曲線は、第１の複数のｘ値及び第１の複数のｙ値を有し、前記第１の複数のｘ値はｓｉｎ（ｍｔ＋δ）の第１の複数の値に比例し、前記第１の複数のｙ値は、ｓｉｎ（ｎｔ）の第２の複数の値に比例し、ここで、ｍ及びｎは数であり、比率ｍ／ｎは１０未満であり、ｔは変数であり、δは非ゼロの定数であり、
前記少なくとも１つの呼吸運動曲線は、第２の複数のｘ値及び第２の複数のｙ値を有し、前記第２の複数のｘ値は（Ｒ＋ｒ）ｃｏｓ（ｔ）＋ｐ＊ｃｏｓ（（Ｒ＋ｒ）ｔ／ｒ）の第３の複数の値に比例し、前記第２の複数のｙ値は、（Ｒ＋ｒ）ｓｉｎ（ｔ）＋ｐ＊ｓｉｎ（（Ｒ＋ｒ）ｔ／ｒ）の第４の複数の値に比例し、ここで、Ｒ、ｒ、及びｐは定数パラメータであり、ｔは変数である、ＯＣＴシステム。
【請求項１２】
光学コヒーレンス断層撮影（ＯＣＴ）システムを使用して患者の目の眼科状況を診断する方法であって、
少なくとも１つのパターンに従って前記目における複数のポイントを走査することであって、前記少なくとも１つのパターンは、少なくとも１つのリサージュ曲線及び少なくとも１つの呼吸運動曲線から選択される、走査することと、
リフレッシュ時間内で前記走査するステップを複数回繰り返すことであって、前記リフレッシュ時間は１秒未満である、繰り返すことと、
を含み、
前記少なくとも１つのリサージュ曲線は、第１の複数のｘ値及び第１の複数のｙ値を有し、前記第１の複数のｘ値は、ｓｉｎ（ｍｔ＋δ）の第１の複数の値に比例し、前記第１の複数のｙ値は、ｓｉｎ（ｎｔ）の第２の複数の値に比例し、ここで、ｍ及びｎは数であり、比率ｍ／ｎは２以下であり、ｔは変数であり、δは非ゼロの定数であり、ｍはｎと異なり、
前記少なくとも１つの呼吸運動曲線は、第１の複数のｘ値及び第１の複数のｙ値を有し、前記第１の複数のｘ値は、（Ｒ＋ｒ）ｃｏｓ（ｔ）＋ｐ＊ｃｏｓ（（Ｒ＋ｒ）ｔ／ｒ）の第２の複数の値に比例し、前記第１の複数のｙ値は、（Ｒ＋ｒ）ｓｉｎ（ｔ）＋ｐ＊ｓｉｎ（（Ｒ＋ｒ）ｔ／ｒ）の第３の複数の値に比例し、ここで、Ｒ、ｒ、及びｐは定数パラメータであり、ｔは変数である、方法。
【請求項１３】
前記走査するステップは、
第１のリサージュ曲線に基づく第１のパターンに従って前記目における前記複数のポイントの第１の部分を走査することと、
第２のリサージュ曲線に基づく第２のパターンに従って前記目における前記複数のポイントの第２の部分を走査することと、
前記第１のパターンと前記第２のパターンとが重複するロケーションにおいて、前記第１のパターンから前記第２のパターンに切り替えることと、
を更に含む、請求項１２に記載の方法。
【請求項１４】
前記走査するステップは、
第１のリサージュ曲線に基づく第１のパターンに従って前記目における前記複数のポイントの第１の部分を走査することと、
呼吸運動曲線に基づく第２のパターンに従って前記目における前記複数のポイントの第２の部分を走査することと、
前記第１のパターンと前記第２のパターンとが重複するロケーションにおいて、前記第１のパターンから前記第２のパターンに又は前記第２のパターンから前記第１のパターンに切り替えることと、
を更に含む、請求項１２に記載の方法。
【請求項１５】
前記走査するステップは、
第１の呼吸運動曲線に基づく第１のパターンに従って前記目における前記複数のポイントの第１の部分を走査することと、
第２の呼吸運動曲線に基づく第２のパターンに従って前記目における前記複数のポイントの第２の部分を走査することと、
前記第１のパターンと前記第２のパターンとが重複するロケーションにおいて、前記第１のパターンから前記第２のパターンに又は前記第２のパターンから前記第１のパターンに切り替えることと、
を更に含む、請求項１２に記載の方法。
【発明の詳細な説明】
【技術分野】
【０００１】
光学コヒーレンス断層撮影（ＯＣＴ）走査により、患者の眼内の非侵襲的な撮像が可能である。１回のＯＣＴ走査は、目の中への（すなわち、ｚ方向における）像情報を提供し得る。瞳孔にわたる（すなわち、ｘ−ｙ平面における）情報を得るには、複数の走査を実行し得る。通常、像は高速ｘ低速ｙパターンで走査される。そのような場合、ＯＣＴに使用される光線は、ｘ方向において目にわたり高速走査され、各走査後、ｙ方向においてわずかに移動する。したがって、そのようなパターンは実際にはジグザグである。高速ｙ低速ｘパターンを使用することもできる。他の可能なパターンは、瞳孔から外側に向かう螺旋又は逆の螺旋である。同様に、患者の目を走査するために、直径を変える円形パターンを使用することもできる。複数の走査を連結して、目の三次元像を提供し得る。
【背景技術】
【０００２】
そのようなメカニズムは、眼内の非侵襲的な撮像が可能であるが、取得されるデータ、ＯＣＴ走査を完了するためにかかる時間、及び／又はＯＣＴシステムの寿命に問題があり得る。高速ｘ低速ｙ走査、高速ｙ低速ｘ走査、及び円形パターンは、光を患者の目に向けるのに使用されるミラーに高負荷をかける。その結果、ＯＣＴシステムの部分、特に走査ミラーに関連する部分は、誤作動又は故障する恐れがある。加えて、螺旋走査等の幾つかの走査パターンは、完了までに比較的長い時間がかかる。パターン中、患者の目は動き得、長い走査パターンほど、その間に位置合わせ誤差が生じる可能性が高い。その結果、ＯＣＴ像の信頼性が低くなり得る。
【発明の概要】
【発明が解決しようとする課題】
【０００３】
したがって、走査時間を短く維持しながら、ＯＣＴシステム構成要素への負荷を低減する改善されたＯＣＴ走査技法が必要とされている。
【課題を解決するための手段】
【０００４】
特定の実施形態では、方法及びシステムは、光源と、干渉系と、プロセッサと、メモリとを含む光学コヒーレンス断層撮影システムを提供する。干渉系は、光源に光学的に結合され、少なくとも１つの可動式走査ミラーを含む。プロセッサ及びメモリは、干渉系に結合される。プロセッサは、メモリに記憶された命令を実行して、可動式走査ミラーに、少なくとも１つのパターンで試料における複数のポイントを走査させる。少なくとも１つのパターンは、少なくとも１つのリサージュ曲線及び少なくとも１つの呼吸運動曲線の少なくとも一方を含む。
【０００５】
幾つかの実施形態では、少なくとも１つのパターンは少なくとも１つのリサージュ曲線である。リサージュ曲線は、ｓｉｎ（ｍｔ＋δ）の第１の複数の値に比例する複数のｘ値及びｓｉｎ（ｎｔ）の第２の複数の値に比例する複数のｙ値を有し得る。そのような実施形態では、ｍ及びｎは定数パラメータであり、比率ｍ／ｎは１０以下であり、ｔは変数であり、δは非ゼロの定数である。幾つかの実施形態では、ｍ／ｎは２以下である。幾つかの場合、少なくとも１つのパターンは少なくとも１つの呼吸運動曲線である。呼吸運動曲線は、（Ｒ＋ｒ）ｃｏｓ（ｔ）＋ｐ＊ｃｏｓ（（Ｒ＋ｒ）ｔ／ｒ）の第１の複数の値に比例する複数のｘ値及び（Ｒ＋ｒ）ｓｉｎ（ｔ）＋ｐ＊ｓｉｎ（（Ｒ＋ｒ）ｔ／ｒ）の第２の複数の値に比例する複数のｙ値を有し得る。そのような実施形態では、Ｒ、ｒ、及びｐは定数パラメータであり、ｔは変数である。そのような実施形態では、走査ミラーは、第１のミラー、第２のミラー、及び第３のミラーを有する。第１のミラーは少なくとも、鋭角に向けられた第１の反射面を有する。第２のミラーは、第３のミラーの第３の反射面に面し、第３の反射面に平行する第２の反射面を有する。
【０００６】
プロセッサは、メモリに記憶された命令を実行して、可動式ミラーに、第１のリサージュ曲線に基づく第１のパターンに従って試料における複数のポイントの第１の部分を走査させ得る。プロセッサはまた、可動式ミラーに、第２のリサージュ曲線に基づく第２のパターンに従って試料における複数のポイントの第２の部分を走査させ得る。他の実施形態では、プロセッサは、メモリに記憶された命令を実行して、可動式ミラーに、リサージュ曲線に基づく第１のパターンに従って試料における複数のポイントの第１の部分を走査させ得る。プロセッサはまた、可動式ミラーに、呼吸運動曲線に基づく第２のパターンに従って試料における複数のポイントの第２の部分を走査させ得る。更に他の実施形態では、プロセッサは、メモリに記憶された命令を実行して、可動式ミラーに、第１の呼吸運動曲線に基づく第１のパターンに従って試料における複数のポイントの第１の部分を走査させ得る。プロセッサはまた、可動式ミラーに、第２の呼吸運動曲線に基づく第２のパターンに従って試料における複数のポイントの第２の部分を走査させ得る。これらの実施形態のそれぞれでは、可動式ミラーは、第１のパターンと第２のパターンとが重複するロケーションにおいて、第１のパターンから第２のパターンに切り替え得る。
【０００７】
幾つかの実施形態では、プロセッサは、メモリに記憶された命令を実行して、１秒未満のリフレッシュ時間内に複数のポイントを複数回走査する。幾つかのそのような実施形態では、リフレッシュ時間は、５００ミリ秒以下であり、複数回は少なくとも１０回である。幾つかの場合、リフレッシュ時間は１００ミリ秒以下である。
【０００８】
別の態様では、光学コヒーレンス断層撮影（ＯＣＴ）システムを使用して患者の目の眼科状況を診断する方法が記載される。本方法は、少なくとも１つのパターンに従って目における複数のポイントを走査することを含む。少なくとも１つのパターンは、少なくとも１つのリサージュ曲線及び少なくとも１つの呼吸運動曲線から選択される。走査するステップは、１秒未満であるリフレッシュ時間内で複数回繰り返される。リフレッシュ時間は、５００ミリ秒以下であり得る。幾つかの場合、リフレッシュ時間は１００ミリ秒以下である。
【０００９】
幾つかの実施形態では、少なくとも１つのリサージュ曲線は、ｓｉｎ（ｍｔ＋δ）の第１の複数の値に比例する第１の複数のｘ値及びｓｉｎ（ｎｔ）の第２の複数の値に比例する第１の複数のｙ値を有する。そのような実施形態では、ｍ及びｎは数であり、比率ｍ／ｎは１０以下であり、ｔは変数であり、δは非ゼロの定数であり、ｍはｎと異なる。幾つかの場合、比率ｍ／ｎは２以下である。例えば、比率ｍ／ｎは１以下であり得る。幾つかの実施形態では、少なくとも１つの呼吸運動曲線は、（Ｒ＋ｒ）ｃｏｓ（ｔ）＋ｐ＊ｃｏｓ（（Ｒ＋ｒ）ｔ／ｒ）の第２の複数の値に比例する第１の複数のｘ値及び（Ｒ＋ｒ）ｓｉｎ（ｔ）＋ｐ＊ｓｉｎ（（Ｒ＋ｒ）ｔ／ｒ）における第３の複数の値に比例する第１の複数のｙ値を有する。そのような実施形態では、Ｒ、ｒ、及びｐは定数パラメータであり、ｔは変数である。
【００１０】
幾つかの実施形態では、走査するステップは、第１のリサージュ曲線に基づく第１のパターンに従って目における複数のポイントの第１の部分を走査することと、第２のリサージュ曲線に基づく第２のパターンに従って目における複数のポイントの第２の部分を走査することとを含む。他の場合、走査するステップは、第１のリサージュ曲線に基づく第１のパターンに従って目における複数のポイントの第１の部分を走査することと、呼吸運動曲線に基づく第２のパターンに従って目における複数のポイントの第２の部分を走査することとを含む。幾つかの実施形態では、走査するステップは、第１のリサージュ曲線に基づく第１のパターンに従って目における複数のポイントの第１の部分を走査することと、呼吸運動曲線に基づく第２のパターンに従って目における複数のポイントの第２の部分を走査することとを含む。全てのそのような実施形態では、第１の走査パターンは、第１のパターンと第２のパターンとが重複するロケーションにおいて第２のパターンに切り替えられる。
【００１１】
本明細書に開示される方法及びシステムは、１つ又は複数の利点を提供し得る。例えば、特定の実施形態では、ＯＣＴシステムのミラーへの機械的な負荷を低減しながら、患者の瞳孔を高速且つ高信頼的に走査することができる。他の利点及び恩恵が以下に考察され、他の利点及び恩恵は、図面及び明細書に鑑みて当業者に明らかになろう。
【図面の簡単な説明】
【００１２】
【図１】ＯＣＴ走査を実行する方法の例示的な一実施形態を示すフローチャートである。
【図２Ａ−２Ｂ】ＯＣＴを使用して走査し得る目及び瞳孔に重ねられた走査パターンを示す図である。
【図３Ａ−３Ｃ】ＯＣＴの走査パターン及び瞳孔に重ねられた特定のリサージュ走査パターンとして使用し得るリサージュパターン例を示す図である。
【図４】ＯＣＴの走査パターンとして使用し得る呼吸運動パターン例を示す図である。
【図５】ＯＣＴ走査を実行する方法の別の例示的な実施形態を示すフローチャートである。
【図６】リサージュパターン及び／又は呼吸運動パターンを使用してＯＣＴ走査を実行するシステムの例示的な一実施形態を示す図である。
【図７】リサージュパターン及び／又は呼吸運動パターンを使用してＯＣＴ走査を実行するシステムの一部の別の例示的な実施形態を示す図である。
【図８】ガルボスキャナを介してリサージュパターン及び／又は呼吸運動パターンを使用してＯＣＴ走査を実行するシステムの一部の例示的な一実施形態を示す図である。
【図９】リサージュパターン及び／又は呼吸運動パターンを使用してＯＣＴ走査を実行するシステムの一部の例示的な一実施形態を示す図である。
【発明を実施するための形態】
【００１３】
例示的な実施形態は、光学コヒーレンス断層撮影（ＯＣＴ）を実行して、例えば、眼内を撮像するシステム及び方法に関する。以下の説明は、当業者が、本発明を作成し使用できるようにするために提示され、特許出願及びその要件に関連して提供される。本明細書に記載される例示的な実施形態並びに一般的な原理及び特徴への様々な変更が容易に明らかになろう。例示的な実施形態は、特定の実施態様で提供される特定の方法及びシステムに関して主に説明される。しかしながら、方法及びシステムは他の実施態様でも有効に動作する。「例示的な実施形態」、「一実施形態」、及び「別の実施形態」等の句は、同じ又は異なる実施形態及び複数の実施形態を指し得る。実施形態は、特定の構成要素を有するシステム及び／又はデバイスに関して説明される。しかしながら、システム及び／又はデバイスは、示されるよりも多数又は少数の構成要素を含み得、本発明の範囲から逸脱せずに、構成要素の構成及びタイプの変形を行い得る。例示的な実施形態は、特定のステップを有する特定の方法に関連しても説明される。しかしながら、方法及びシステムは、異なる及び／又は追加のステップ及び例示的な実施形態と一貫しない異なる順序のステップを有する他の方法でも有効に動作する。したがって、本発明は、示される実施形態に限定されるものではなく、本明細書に記載される原理及び特徴に一貫する最も広い範囲に従うべきである。方法及びシステムはまた、複数形ではなく単数形で説明されもする。例えば、幾つかの実施形態では、パターン及び／又は１回の走査が使用され、且つ／又は示される。これらの単数形が複数形を包含することを当業者は認識するであろう。例えば、複数回の走査を実行し得、且つ／又は複数のシステム又は構成要素を使用し得る。
【００１４】
特定の実施形態では、システムは、１つ又は複数のプロセッサ及びメモリを含む。１つ又は複数のプロセッサは、メモリに記憶された命令を実行して、図面に記載され、後述されるプロセスの幾つか又は全てを生じさせ、制御するように構成し得る。本明細書で使用される場合、プロセッサは、１つ又は複数のマイクロプロセッサ、フィールドプログラマブルゲートアレイ（ＦＰＧＡ）、コントローラ、又は任意の他の適する計算デバイス若しくはリソースを含み得、メモリは、限定ではなく、磁気媒体、光学媒体、ランダムアクセスメモリ（ＲＡＭ）、読み取り専用メモリ（ＲＯＭ）、リムーバブル媒体、又は任意の他の適したメモリ構成要素を含む揮発性メモリ又は不揮発性メモリの形態をとり得る。メモリは、プロセッサにより実行されると、処理機能を含む任意のそのようなプロセッサ、メモリ、又は構成要素に関して本明細書に説明される機能を実施するプログラム及びアルゴリズムの命令を記憶し得る。さらに、方法及びシステムの態様は、ハードウェア、ソフトウェア（ファームウェア、常駐ソフトウェア、マイクロコード等を含む）、又はソフトウェア態様とハードウェア態様との組合せの形態をとり得る。さらに、方法及びシステムの態様は、メモリに記憶され、少なくとも１つのプロセッサにより実行されるソフトウェア構成要素の形態をとり得る。ソフトウェアは、コンピュータ可読プログラムコードが具現される１つ又は複数のコンピュータ可読媒体で具現し得る。特許請求の範囲で使用される場合、「プロセッサ」、「メモリ」、及び「命令」という用語はそれぞれ、ＯＣＴ撮像の分野で既知であり、及び当業者に馴染みがある構造のクラスを指す。したがって、これらの用語は、本開示の機能的要素ではなく構造的要素を示すものとして理解されたい。
【００１５】
図１は、本開示によるＯＣＴ走査を実行する方法１００の例示的な一実施形態を示すフローチャートである。簡潔にするために、幾つかのステップは省略、インタリーブ、別の順序で実行、及び／又は結合し得る。方法１００は、メモリに記憶された命令を実行して、スペクトル領域ＯＣＴ（ＳＤ−ＯＣＴ）又は掃引源ＯＣＴ（ＳＳ−ＯＣＴ）撮像システムの様々な部分を制御するＯＣＴシステムコントローラのプロセッサにより実施し得る。
【００１６】
図２Ａ及び図２Ｂは、目を示す図である。特に、図２Ａは、方法１００を使用して走査し得る目の断面図を示す。角膜２０２、水晶体２０４、虹彩２０６、瞳孔２０８、硝子体腔（ｖｉｔｒｅａｌ  ｃａｖｉｔｙ）２１０、及び網膜２２０が、説明を目的として示される。図２Ｂは、方法１００を使用して走査し得る目２００の平面図である。特に、図２Ｂは、目の一部に重ねられた走査パターン例を示す。方法１００は、目２００に対してＯＣＴ撮像手順を実行することに関連して説明される。しかしながら、方法１００は他の試料にも同様に拡張し得る。
【００１７】
一般に、そのようなＯＣＴ撮像システムの構成要素は当業者に周知である。理解を助けるために、ＯＣＴ撮像システムの一例（例えば、図６及び図７に示されるシステム１００及び１５０）の態様について以下に説明するが、本開示によるＯＣＴシステムが、簡潔にするためにここで対処されない追加の特徴及び構成要素を含むことを理解されたい。
【００１８】
方法１００によれば、ＯＣＴシステムは、ステップ１０２において、１つ又は複数のリサージュパターン及び／又は呼吸運動パターンを使用してＯＣＴ撮像ビームで標的のポイントを走査する。この例では、ＯＣＴ  Ａ走査が走査パターンで様々なポイントで実行されて、数μｍ眼内の（すなわち、瞳孔から負のｚ方向における）データを取得し得る。ステップ１０２で使用される走査は、ｘ−ｙ平面にあり、又はｘ−ｙ平面に平行する。したがって、特定のｚ深度にある試料を取得し得る。このｚ深度における試料は、リサージュパターン又は呼吸運動パターンで取得し得る。代替的には、走査は異なるｚ深度を有し得る。
【００１９】
幾つかの実施形態では、ＯＣＴシステムは、リサージュ曲線に基づく走査パターンに従ってＯＣＴ撮像ビームを走査する。リサージュ曲線は一般に、ｓｉｎ（ｎｔ）に比例するｘ値及びｓｉｎ（ｍｔ＋δ）に比例するｙ値を有するものとして説明し得、ここで、ｍは非ゼロの定数であり、ｎは非ゼロの定数であり、ｔは変数であり、δは、π／２等の非ゼロの位相遅延である。ｍ／ｎの比率はリサージュ曲線の特性を変えるため、異なる値のｎ及びｍで異なるリサージュ曲線を取得し得る。したがって、ｎ及びｍは整数又は任意の他の実数であり得る。特定の実施形態では、ｍ／ｎの比率は１０以下である。他の実施形態では、ｍ／ｎ≦８、ｍ／ｎ≦６、ｍ／ｎ≦４、ｍ／ｎ≦２、又はｍ／ｎ≦１．５である。リサージュ曲線に基づく異なる走査パターンの値を計算し、ＯＣＴシステムのプロセッサによりアクセスされるメモリのルックアップテーブルに記憶し得る。
【００２０】
図２Ｂは、目２００の走査に使用し得る一例のリサージュ曲線２５０を示す。図２Ｂでは、リサージュ曲線２５０は瞳孔２０８に重ねられている。リサージュ曲線２５０の形状により、データは、瞳孔２０８をカバーする複数のポイントで取得し得る。
【００２１】
図３Ａ〜図３Ｃは他のリサージュ曲線の例を示す。例えば、図３Ａは、異なる例示的な値のｍ及びｎの様々なリサージュ曲線２５０’を示す。特に、ｎの値は、左から右に図３Ａの列にわたり１から５に増大する。同様に、ｍの値も上から下に各行を下に１から５に増大する。したがって、図３Ａは、ｍ／ｎの比率が変更されるにつれてリサージュ曲線がいかに変わるかを示す。さらに、リサージュ曲線２５０’により示されるように、リサージュパターンがステップ１０２において走査される場合、瞳孔の中心は全ての場合で走査されることになる（ＯＣＴシステム及び瞳孔が正確に位置合わせされている場合）。
【００２２】
図３Ｂ及び図３Ｃは、ｍ＝５、ｎ＝４（図３Ａの行５、列４）及びｍ＝４、ｎ＝５（図３Ａの行４、列５）のそれぞれの場合のリサージュ曲線に基づく走査パターン２５２及び２５４を示す。瞳孔２０８も示される。図３Ｂ及び図３Ｃに示されるように、リサージュパターン２５２及び２５４による瞳孔２０８の走査は、中心を含む瞳孔２０８の大半又は全てのエリアにわたる代表的な走査ポイントをカバー又は提供し得る。さらに、パターン２５２及び２５４は、互いの鏡像である。幾つかの実施形態では、ＯＣＴスキャナは、パターンが交差又は重複するポイントにおいて、ＯＣＴ撮像手順中、パターン２５２からパターン２５４に切り替わり得る。これらの交点は、図３Ｂ及び図３Ｃにおいて暗い丸で示される。そのような交点でのパターン２５２とパターン２５４との切り替えにより、方法１００の実行に使用されるＯＣＴスキャナミラー（図３Ａ〜図３Ｃに示されず）への負荷を低減することができ得る。例えば、ｘ及びｙスキャナがそれぞれの共振周波数（例えば、ｘは８ｋＨｚ、ｙは１０ｋＨｚ）で別個に動作しており、初期位相差が一定である場合、走査パターン２５２と２５４との位相差は最小又はゼロであり得る。さらに、パターン２５２とパターン２５４との切り替えにより、各パターンのわずかな非対称性を補償することができる。さらに、図３Ａ及び図３Ｂに示される外側の交点は、円を近似し、パターン２５２及び２５４は、それぞれにより形成される円が瞳孔２０８の外周に対応するようなサイズであり得る。したがって、ステップ１０２は、１回の撮像手順に複数のパターンを利用し得る。
【００２３】
幾つかの実施形態では、ＯＣＴシステムは、ステップ１０２において、呼吸運動曲線に基づく走査パターンに従ってＯＣＴ撮像ビームを走査する。呼吸運動曲線の一例は、（Ｒ＋ｒ）ｃｏｓ（ｔ）＋ｐ＊ｃｏｓ（（Ｒ＋ｒ）ｔ／ｒ）に比例するｘ及び（Ｒ＋ｒ）ｓｉｎ（ｔ）＋ｐ＊ｓｉｎ（（Ｒ＋ｒ）ｔ／ｒ）に比例するｙ値を有し、ここで、Ｒ、ｒ、及びｐは定数パラメータであり、ｔは変数である。呼吸運動曲線に基づく異なる走査パターンの値を計算し、ＯＣＴシステムのプロセッサによりアクセスされるメモリのルックアップテーブルに記憶し得る。
【００２４】
図４は様々な呼吸運動パターン２５６を示す。なお、ＯＣＴシステムがステップ１０２において呼吸運動パターンに従って走査する場合、目の中心はいかなる例でも走査されない。さらに、呼吸運動パターン２５６は全て半径方向対称であり、当業者に明らかになる他の方程式に従って様々な形態をとり得る。リサージュパターン２５２及び２５４に関して上述したように、ＯＣＴシステムは、パターンが交差又は重複するロケーションにおいて様々な呼吸運動パターンを切り替え得る。同様に、ＯＣＴシステムは、呼吸運動パターンとリサージュパターン、呼吸運動パターンと他のパターン、及び／又はリサージュパターンと他のパターンとを切り替え得る。パターンの切り替えは、パターンが重複するロケーションで行い得る。したがって、ステップ１０２は、撮像手順に１つのパターンに限定されない。
【００２５】
なお、リサージュ曲線及び呼吸運動パターンの特定の数学的説明が特定の方程式により本明細書において説明されるが、そのような曲線及びパターンが本明細書に記載される方程式例に限定されないことを当業者は理解しよう。むしろ、リサージュ曲線及び呼吸運動パターンは、様々な数学的均等物又は同等の方程式で表現し得る。したがって、本開示の範囲は、本明細書に記載される特定の式に限定されず、一般に、本開示の原理に一貫するリサージュパターン及び呼吸運動パターンを含む。
【００２６】
図１〜図４を参照して、走査するステップ１０２は任意選択的に、ステップ１０４において、リフレッシュ時間内で所望の領域のデータを取得するのに十分な回数、繰り返し得る。このリフレッシュ時間は１秒未満であり得る。幾つかの実施形態では、リフレッシュ時間は５００ミリ秒以下である。幾つかのそのような実施形態では、リフレッシュ時間は１００ミリ秒以下である。例えば、１００ｋＨｚレーザを光源として使用し得、レーザを走査し得る周波数は１０ｋＨｚであり得る。方法１００は、１〜１０００回の走査を使用して、目の所望のエリアにわたる所望の数のポイントのデータを取得し得る。幾つかの実施形態では、データを提供するために、約１０回の走査を実行する。この回数の走査は、０．０１秒（１００ミリ秒）以下で実行し得る。したがって、方法１００は、１００ミリ秒以下のリフレッシュ時間でパターンをリフレッシュし得る。したがって、特定の実施形態は、サッカード眼球運動よりも高速で、リサージュパターンに従って走査することができる。その結果、目は、特定の実施形態によれば、リサージュ走査中、動きがないものと見なし得、これは特に、ＯＣＴと統合される術中収差測定に有用であり得る。
【００２７】
したがって、方法１００を使用して、ＯＣＴシステムは、１つ又は複数のリサージュ及び／又は呼吸運動走査パターンを使用してＯＣＴ像を生成し得る。これらのパターンの使用は、様々な利点を生み出し得る。リサージュ及び呼吸運動パターンは、より少数の走査で瞳孔の大半又は全てのエリアにわたる代表的な走査ポイントをカバー又は提供し得る。例えば、少なくとも５回且つ１０回以下の走査を使用して十分なデータを取得し得る。これらの走査はより高速であることもでき、したがって、より高速で完了し得る。例えば、上述した５回〜１０回の走査は、約５００ミリ秒以下のリフレッシュ時間で完了し得る。幾つかの場合、このリフレッシュ時間は１００ミリ秒以下である。リサージュ及び呼吸運動パターンは、軸対称性及び／又は部分回転対称性を有することもできる。さらに、リサージュ及び呼吸運動パターンは、より少数の走査で瞳孔のエリア全体をカバーし得る（又はより少数の走査で瞳孔のエリア全体にわたる代表的な走査ポイントを提供し得る）ため、位置合わせ誤差に対して追加の安定性を提供する。加えて、これらのパターンは、眼科器具、眼球追跡、及び眼球バイオメトリに適し得る。例えば、角膜、水晶体、及び網膜等の主要眼球構造の曲率半径及び位置を特定し得る。リサージュ及び呼吸運動パターンの使用は、システムへの機械的負荷を低減することもできる。したがって、本方法と併用されるＯＣＴシステムは、信頼性がより高く、より長い寿命を有し得る。１回の走査は、５ミリ秒未満で完了し得、これはサッカード眼球運動よりも高速である。パターンは、術中収差測定等の用途で使用し得る。リサージュパターンの場合、目の中心は常に走査される。したがって、目の中心が対象である場合、リサージュパターンが特に有用であり得る。逆に、呼吸運動パターンは目の中心を走査しない。したがって、呼吸運動パターンは、例えば、データのアーチファクトにより目の中心を省略することが望まれる場合、特に有用であり得る。その結果、方法１００を使用してＯＣＴをよりよく実行し得る。
【００２８】
図５は、ＯＣＴ走査を実行する方法１１０の例示的な一実施形態を示すフローチャートである。簡潔にするために、幾つかのステップは省略、インタリーブ、別の順序で実行、及び／又は結合し得る。方法１１０は、メモリに記憶された命令を実行して、スペクトル領域ＯＣＴ（ＳＤ−ＯＣＴ）又は掃引源ＯＣＴ（ＳＳ−ＯＣＴ）撮像システムの様々な部分を制御するＯＣＴシステムコントローラのプロセッサにより実施し得る。
【００２９】
図６及び図７は、方法１００及び１１０のステップの幾つか又は全てを実行し得る一例のＯＣＴシステム１５０／１５０’の態様を示す。特に、図６はＯＣＴシステム１５０の機能ブロックを示し、図７はシステム１５０’の特定の態様の構造を示す。システム１５０及び１５０’が一例のＳＤ−ＯＣＴ又はＳＳ−ＯＣＴ撮像システムの相補的な図であることを理解されたい。したがって、同様又は関連する構成要素は同様のラベルを有する。
【００３０】
図６は、光源１５２、ユーザインターフェース（Ｕ／Ｉ）１５４、干渉系１６０（ビームスプリッタ／結合器１６２、調整可能な参照ミラー１６４、及びスキャナを含む）、ＯＣＴコントローラ１８０（メモリに記憶された命令を実行するように構成されたプロセッサを含む）、及び検出器１９０を含むＯＣＴシステム１５０の機能図である。簡潔にするために、ＯＣＴシステム１５０の特定の構成要素のみを示す。
【００３１】
光源１５２は、スーパールミネッセントダイオード、超短（例えば、フェムト秒）パルスレーザ、又は超連続レーザ等の任意の適する低コヒーレンス光源を含み得、特定の例では、ＳＳ−ＯＣＴシステム等の周波数掃引又は調整可能なレーザを含み得る。ビームスプリッタ／結合器１６２は、ＯＣＴビームを撮像ビーム及び参照ビームに分割し、ＯＣＴ像の深度を計算するように構成することができる参照ミラー１６４に反射撮像光及び参照光を結合又は向ける非偏光ビームスプリッタを含み得る。スキャナは、目の角膜又は網膜等の標的又は試料に向けてｘ−ｙ平面において撮像ビームを走査する１つ又は複数の検流計制御のミラー（例えば、可動式ミラー１７０、１７０’）を含み得る。スキャナは追加又は代替として、微小電子機械システム（ＭＥＭＳ）又は共振スキャナ等の他の構成要素を含み得る。スキャナにより走査された撮像ビームは、集束レンズ及び／又はコリメートレンズ（図示せず）を含み得る光学要素を通して向けられる。検出器１０９は、標的から反射された撮像ビーム及びレフレクタから反射された参照ビームを受け取り、ＯＣＴ像を生成することができる干渉信号を出力する。干渉系は、分光計、光検出器、アレイ検出器、アナログ／デジタル変換器（ＡＤＣ）、回折格子、又は当業者に既知の他の構成要素の任意の適する組合せを含み得る。例えば、ＳＤ−ＯＣＴシステムでは、干渉系は、回折格子、レンズ、及び電荷結合素子（ＣＣＤ）等のアレイ検出器を含み得る。ＳＳ−ＯＣＴシステムでは、干渉系は、光検出器及びアナログ／デジタル変換器を含み得る。
【００３２】
標的のＯＣＴ像を取得し表示するようにＯＣＴシステムの構成要素（スキャナ等）を制御するように構成されたハードウェア、ファームウェア、及びソフトウェアを含むＯＣＴコントローラ１８０は、コントローラ１８０は、メモリ１８４に記憶された命令を実行するように構成された１つ又は複数のプロセッサ１８２を含む。ユーザインターフェース１５４は、ＯＣＴコントローラにより生成されたＯＣＴ像、制御メニュー等を提示する１つ又は複数のディスプレイを含み得る。様々な例では、ディスプレイは、任意の１つ又は複数のモニタ、プロジェクタ、接眼レンズ、ヘッドアップディスプレイ、スクリーン、眼鏡、ゴーグル等を含み得る。ＯＣＴ像は２Ｄ像又は３Ｄ像として表示し得る。ユーザ入力は、キーボード、マウス、タッチスクリーン、ジェスチャ認識システム、及び任意の他の適する入力を介してユーザインターフェース１５４により受信し得る。
【００３３】
図７は、方法１００及び／又は１００’を実行し得るＯＣＴシステム１５０’の構造的態様を示す。簡潔にするために、ＯＣＴシステム１５０’の特定の構成要素のみを示す。ＯＣＴシステム１５０’は、ＯＣＴシステム１５０の相補的な図を提供し、関連する構成要素又は同じ構成要素は同様のラベルを有する。図７に示されるＯＣＴシステム１５０’は、図６の光源１５２、干渉系１６０、及び検出器１９０とそれぞれ同様である光源１５２’、干渉系１６０’、及び検出器１９０を含む。明確にするために、ＯＣＴシステム１５０’の他の部分は省略されている。ＯＣＴシステム１５０’により撮像中の目２００も示される。光源１５２’はレーザとして明示的に示される。
【００３４】
ＯＣＴシステム１５０’は、パルスレーザであり得る光源１５２を含み、コリメータ１５６を含み得る。干渉系１６０’は、ビームスプリッタ／結合器１６２、参照ミラー１６４、及び走査ミラー１７０を含む。ミラー１６４の位置は、ＯＣＴ参照ビームの路長を設定するように調整され、それにより、ＯＣＴ走査の試料が撮影される深度（ｚ方向）を制御する。走査ミラー１７０は、目２００にわたるＯＣＴ撮像ビームの走査（ｘ−ｙ平面に平行する平面内の走査）を制御するのに使用される。したがって、走査ミラー１７０（ＯＣＴコントローラ１８０から信号により向けられる）は、リサージュ及び／又は呼吸運動パターンで目２００を走査するのに使用し得る。１つのミラー１７０が図７に示されるが、複数のミラーを使用することもできる。
【００３５】
動作に当たり、レーザ１５２’からの光はコリメータ１５６を横断し、ビームスプリッタ１６２によって分割される。参照光はミラー１６４に提供される。この光はビームスプリッタ１６２に反射して戻り、検出器１９０に提供される。残りの部分（「調査光」）は走査ミラー１７０に提供され、走査ミラー１７０は調査光を目２００の所望の部分に向ける。この調査光の部分は、目２００内の構造で散乱し、ミラー１７０に戻る。この散乱光はビームスプリッタ１６２に反射して戻り、検出器１９０に提供される。参照光及び調査／散乱光を処理し、比較して、ＯＣＴ像を生成し得る。
【００３６】
さらに、システム１５０及び１５０’の幾つかの実施形態は、収差測定レーザを含み得る。例えば、システム１５０’の例では、収差測定レーザにより生成されたレーザビームは、ビームスプリッタ１６２とスキャナ１７０との間に配置されるビームスプリッタによりＯＣＴ撮像ビームと結合し得る。そのようなビームスプリッタ１６２は、特殊な遮断フィルタ特性を含み得る。例えば、光源１５２’は、少なくとも１０００ｎｍのＯＣＴレーザビームを生成するように構成し得る。システム１５０’は、８００ｎｍ以下の収差測定レーザビームを生成するように構成された収差測定レーザ源（図示せず）を更に含み得る。９００ｎｍ超の光を略１００％透過し、９００ｎｍ未満の光の略０％を透過するように構成されたビームスプリッタは、ビームスプリッタ１６２とスキャナ１７０との間に配置し得る。したがって、収差測定レーザは、収差測定レーザビームをこのビームスプリッタに向けて送り得、このビームスプリッタは、収差測定レーザが送ったＯＣＴレーザビームのビーム路に収差測定レーザビームを反射し、それにより、ビームを結合する。このようにして、収差測定レーザは、走査パターンで特定のポイントで活性化されて、目２００の回折分析のために解釈することができる収差測定パターンを生成し得る。
【００３７】
図５に戻り、方法１００’は、一例のＯＣＴシステム１５０／１５０’に関連して説明され、一例のＯＣＴシステム１５０／１５０’を使用して実行し得る。方法１１０のステップは、メモリに記憶された命令を実行して、スペクトル領域ＯＣＴ（ＳＤ−ＯＣＴ）又は掃引源ＯＣＴ（ＳＳ−ＯＣＴ）撮像システムの様々な部分を制御するＯＣＴシステムコントローラのプロセッサにより実施し得る。しかしながら、方法１００’は、他の装置と併用してもよく、ＯＣＴシステム１５０は別の方法と併用してもよい。
【００３８】
ステップ１１２において、１つ又は複数の走査パターンがＯＣＴ走査での使用に選択される。ステップ１１２は、ユーザインターフェースを介して１つ又は複数のパターンのユーザ選択を受信することを含み得る。代替的には、ＯＣＴコントローラ１８０のメモリに記憶された命令を実行するプロセッサにより、デフォルト又は他のパターンを自動的に選択し得る。選択されるパターンは、１つ又は複数のリサージュ曲線（例えば、２５０、２５０’、２５２、２５４等）及び／又は１つ又は複数の呼吸運動曲線（例えば、２５６）を含む。
【００３９】
ステップ１１４において、目における様々なポイントが、選択されたパターンを使用して走査される。ステップ１１４は、方法１００のステップ１０２と同様である。したがって、ＯＣＴコントローラ１８０は、光を光源１５２から、データを取得し得る目における様々なポイントに向けるようにスキャナ（例えば、走査ミラー１７０）を制御する。光は、ステップ１１２において選択されたパターンを使用してロケーションに向けられる。複数のパターンを使用すべき場合、ＯＣＴシステム１５０／１５０’が、パターンが重複するロケーションにおいてパターンを切り替えることが望ましい。検出器１９０は、目から反射されたＯＣＴ光を検出し、参照ミラー１６４によって反射されたＯＣＴ光で干渉する。したがって、特定の深度におけるリサージュ及び／又は呼吸運動パターンのロケーションのデータを収集し得る。複数の走査を異なる深度で行ってもよく、又は１つの走査が、参照ミラー１６０’の位置を調整することによって複数の深度でデータを収集してもよい。幾つかの実施形態では、検出器１９０は、更に処理するためにデータをＯＣＴコントローラ１８０に提供する。他の実施形態では、別の構成要素が、コントローラ１８０とは別個に又はコントローラ１８０と併せてデータを処理し得る。
【００４０】
ステップ１１６において、走査するステップ１１４を任意選択的に繰り返して、リフレッシュ時間内で所望の領域のデータを取得し得る。ステップ１１６はステップ１０４と同様である。ステップ１１６は、Ｕ／Ｉ１５４を介してユーザにデータを提供することを含むこともできる。例えば、データを使用して、ＯＣＴ走査をディスプレイに提供し得る。
【００４１】
方法１１０／１１０’及びＯＣＴシステム１５０／１５０’を使用して、ＯＣＴ撮像は、リサージュ及び／又は呼吸運動走査パターンを使用して実行し得る。これらのパターンの使用により、様々な利点が生まれ得る。例えば、リサージュ及び呼吸運動パターンは、より少数の走査で瞳孔のエリア全体をカバーし得る（又は瞳孔にわたる代表的な走査を生成し得る）。これらの走査は高速であることもでき、したがって、より高速に完了し得る。加えて、方法１１０／１１０’及びＯＣＴシステム１５０／１５０’は、より少数の走査が瞳孔全体をカバーし得るため、位置合わせ誤差に対する安定性を提供する。リサージュ及び呼吸運動パターンはまた、軸方向の部分的な回転対称性を有することもできる。眼科器具、眼球追跡、及び眼球バイオメトリを実行することもできる。方法１１０／１１０’は、特に、スキャナミラー１７０を含むＯＣＴシステム１５０／１５０’への機械的負荷を低減することもできる。したがって、ミラー１７０及びＯＣＴシステム１５０’はそうして、摩耗及び破断を受けにくくなり得る。ＯＣＴシステム１５０／１５０’は、より高い信頼性及びより長い寿命を有し得る。さらに、パターンは、術中収差測定に使用し得る。選択されるパターンに応じて、目の中心を走査し得、又は省略し得る。その結果、ＯＣＴは、方法１１０／１１０’及びＯＣＴシステム１５０／１５０’を使用してよりよく実行し得る。
【００４２】
図８は、ガルボＸ−Ｙスキャナを介してリサージュパターンを使用して走査を実行するＯＣＴシステムの一部の別の例示的な実施形態を示す図である。特に、ミラー１７０’が示される。なお、図７のミラー１７０は、図８に示されるようなミラー１７０’を含み得る。特に、２つのミラー１７２及び１７４が示される。ミラー１７２及び１７４は平行し、特定の距離で隔てられる。したがって、一方のミラー１７２を使用して、走査中のロケーションのｙ値を制御し得る。他方のミラー１７４を使用して、走査中のロケーションのｘ値を制御し得る。ミラー１７２と１７４との間の距離は、走査中のパターンにおける歪みを低減するために、小さい値であることが望ましいことがある。
【００４３】
ミラー１７０’を使用するＯＣＴシステム１５０／１５０’は、上述したシステム及び方法の利点を共有し得る。加えて、各ミラー１７２及び１７４は別個に動作し得る。したがって、ミラー１７２及び１７４に掛かる負荷を変えずに、様々なリサージュパターン２５０を走査に使用し得る。例えば、上述したｍ＝４、ｎ＝５リサージュパターンによる走査は事実上、ｍ＝５、ｎ＝４リサージュパターンによる走査と同じ負荷をミラー１７０及び１７４に掛け得る。
【００４４】
図９は、呼吸運動パターンを使用して走査を実行するＯＣＴシステム１５０／１５０’の一部の別の例示的な実施形態を示す図である。特に、ミラー１７０’’が示される。なお、図７のミラー１７０は図８に示されるミラー１７０’を含み得る。特に、３つのミラー１７２、１７４、及び１７６が図９に示される。ミラー１７２及び１７４は図８に示されるものと同様である。ミラー１７２及び１７４は平行し、特定の距離で隔てられる。非ゼロの角度に向けられた反射面を有する走査ミラー１７６も示される。示される実施形態では、反射面は略直交する。呼吸運動パターンを走査するために、ミラー１７２及び１７４は、示される軸の回りを第１の角周波数ω１で回転するように構成される。別の実施形態では、入力レーザビームと異なる軸を使用し得る。第２のミラー１７６は、第２の角周波数ω２で、示される軸の回りを回転するように構成される。第１及び第２の角周波数は、所望の時間内で呼吸運動パターンを提供するように選択される。所望の呼吸運動パターンは、ミラー１７０’’を使用して提供し得る。したがって、ミラー１７０’’を使用するＯＣＴシステムは、上述したシステム及び方法の利点を共有し得る。
【００４５】
示される例示的な実施形態により、ＯＣＴ走査を提供する方法及びシステムを説明し、実施形態への変形が存在することができ、あらゆる変形が本方法及び本システムの趣旨及び範囲内にあることを当業者は容易に認識しよう。したがって、添付の特許請求の趣旨及び範囲から逸脱せずに、多くの変更を当業者により行い得る。
【図１】
2020506372.tif 000003
【図２Ａ−２Ｂ】
2020506372.tif 000004
【図３Ａ−３Ｃ】
2020506372.tif 000005
【図４】
2020506372.tif 000006
【図５】
2020506372.tif 000007
【図６】
2020506372.tif 000008
【図７】
2020506372.tif 000009
【図８】
2020506372.tif 000010
【図９】
2020506372.tif 000011
【国際調査報告】
2020506372.tif 000012
2020506372.tif 000013
2020506372.tif 000014